(57)【特許請求の範囲】
【請求項１】
推進器を備えて水中を航行する潜水機において、
前記推進器は機体の長手方向の一側に周方向に沿って３つ取り付けられ、かつその軸線が前記機体の軸線上の一点で会するように前記機体に取り付けてあり、前記機体の上部にトランスポンダ送受波器を設けるとともに、前記機体の長手方向他側に潜水用バラスト装着部と浮上用バラスト装着部を有して各々バラストを着脱自在としており、潜水用バラストを投棄して浮上用バラストを浮上用バラスト装着部に装着したときに、潜水機重心を長手方向中心部であって、浮心の下方に位置させてなることを特徴とする潜水機。
【請求項２】
水中に存在するものまたは水温などの分布を測定する方法であって、請求項１に記載の潜水機に水中存在物または水温などを検出するセンサを搭載し、複数の前記潜水機を同時に潜行させて水中存在物または水温などを検出することを特徴とする分布測定方法。
【発明の詳細な説明】
【０００１】
【発明の属する技術分野】
本発明は、水中を航行する潜水機に係り、特に３つ以上の推進器を備えた無人で水中を航行する潜水機に関する。
【０００２】
【従来の技術】
近年、産業の発達と生活の利便性の向上に伴って二酸化炭素（ＣＯ2 ）の排出量が増大し、地球の温暖化現象などに影響を与えることが強く懸念されている。このため、工場や発電所などから排出される二酸化炭素を、海洋中に隔離する研究が世界的に行なわれている。すなわち、図７に示したように、液化した二酸化炭素を船１０によって所定の海域に運搬し、船１０から海中にパイプ１２を８００〜２０００ｍの深さに挿入し、パイプ１２の先端から液化した二酸化炭素１４を海底の窪みなどに注入して隔離しようとするものである。
このような二酸化炭素の海洋隔離の研究は、室内実験と海洋実験とが補完し合いながら行なわれており、二酸化炭素の海中における希釈拡散の様子を予測するモデルの研究が重要視されている。しかし、予測モデルを検証するための海洋実験の方法は、いまだ手探りの状況にあって確立されていないのが現状である。そして、予測モデルを検証するために、海水中に溶解した二酸化炭素の濃度を測定する場合、水素指数（ｐＨ）の値を測定して行われる。また、拡散の様子を知るためには、海中空間を図８に示したようにメッシュまたはマトリックス状に切り分け、このメッシュまたはマトリックスに沿ってｐＨ値を測定する必要がある。この測定は、複数の点を同時に行なうことが望まれる。
【０００３】
ところで、海中空間における分布を測定する場合、次のような方法が考えられる。
（１）固定昇降ブイ法：この方法は、海底に多数の昇降するブイを設置し、ブイに取り付けた測定器によって測定する。しかし、この固定昇降ブイ法は、測定器を潮流の流れに沿って移動させることができないため、実用的でない。
（２）浮遊フロート法：浮力を調整した多数のフロートを海中に投下し、フロートに取り付けた測定器をフロートとともに潮流の流れに乗せて移動させる。この方法は、潮流の流れに沿った測定が可能であるが、位置制御ができないので成り行き任せとなり、望むような分布の測定を行なうことができない。
（３）ＲＯＶ法：ケーブルで母船に接続した無人潜水機であるＲＯＶ（Ｒｅｍｏｔｅｌｙ  Ｏｐｅｒａｔｅｄ  Ｖｅｈｉｃｌｅ）に計測器を搭載し、ＲＯＶを潜行させて測定を行なう。このＲＯＶ法は、位置制御が可能であって所望の位置の計測を行なうことが可能である。しかし、ＲＯＶは、ケーブルに束縛されているために移動できる範囲が狭く、広い範囲の分布を測定することが困難である。
（４）ＡＵＶ法：この方法は、無索の無人潜水機であるＡＵＶ（Ａｕｔｏｎｏｍｏｕｓ  Ｕｎｄｅｒｗａｔｅｒ  Ｖｅｈｉｃｌｅ）に計測器を搭載して測定を行なう法法である。このＡＵＶ法は、位置制御か可能であるばかりでなく、無策であるところからケーブルに拘束されず、自由に海中を移動できるため、海中空間の分布を測定するには最適な方法であると考えられている。
【０００４】
【発明が解決しようとする課題】
現在、ＡＵＶは、各方面で開発が進められており、実用の段階にある。そして、無人潜水機は、一般に機体を水平方向に進めるための水平推進器と、深度を調整するために機体を上下方向に移動させるための垂直推進器とを、機体の長手方向中央部に備えている。また、特開平８−１６９３９８号公報には、機体の周囲に３基の水平推進器を機体の前後方向に平行に配置するとともに、機体の左右両側のそれぞれに垂直推進器を設け、さらに機体の横方向に向けた推進器を機体の中央部に配置し、ピッチングやヨーイング、ローリングの制御を安定して行なうようにしたものが記載されている。しかし、このような無人潜水機は、多くの推進器を備えているために高価であって重量も増大する。しかも、３基の水平推進器が機体の長手方向に平行に配置してあるため、機体が長くなると旋回（回頭）に要するモーメントが充分に得られず、迅速な回頭制御などが困難となる。
【０００５】
本発明は、前記従来技術の欠点を解消するためになされたもので、推進器の数を少なくして大きな回頭モーメントが得られるようにすることを目的としている。
また、本発明は、バラストのみによって機体を自動的に水平に保持できるようにすることを目的としている。
さらに、本発明は、迅速に潜水できるようにすることを目的としている。
そして、本発明は、水中空間の予め定めた複数の点をほぼ同時に計測できるようにすることを目的としている。
【０００６】
【課題を解決するための手段】
上記の課題を解決するために、本発明に係る潜水機は、推進器を備えて水中を航行する潜水機において、前記推進器は機体の長手方向の一側に周方向に沿って３つ取り付けられ、かつその軸線が前記機体の軸線上の一点で会するように前記機体に取り付けてある。
【０００７】
更に、前記機体の上部にトランスポンダ送受波器を設けるとともに、前記機体の長手方向他側に潜水用バラスト装着部と浮上用バラスト装着部を有して各々バラストを着脱自在としており、潜水用バラストを投棄して浮上用バラストを浮上用バラスト装着部に装着したときに、潜水機重心を長手方向中心部であって、浮心の下方に位置させてなる。
【０００８】
そして、本発明に係る分布測定方法は、水中に存在するものまたは水温などの分布を測定する方法であって、推進器を備えて水中を航行する潜水機において、前記推進器は機体の長手方向の一側に周方向に沿って３つ取り付けられ、かつその軸線が前記機体の軸線上の一点で会するように前記機体に取り付けてあり、前記機体の上部にトランスポンダ送受波器を設けるとともに、前記機体の長手方向他側に潜水用バラスト装着部と浮上用バラスト装着部を有して各々バラストを着脱自在としており、潜水用バラストを投棄して浮上用バラストを浮上用バラスト装着部に装着したときに、潜水機重心を長手方向中心部であって、浮心の下方に位置させてなる潜水機に水中存在物または水温などを検出するセンサを搭載し、複数の前記潜水機を同時に潜行させて水中存在物または水温などを検出することを特徴としている。
【０００９】
【作用】
上記のごとく構成した本発明に係る潜水機は、３つ以上の推進器が機体の軸線上の一点で会するように傾斜させて取り付けてあるため、各推進器は機体に対して、機体の軸線と平行な方向の成分の推力と、機体の軸線に対して直交した方向の成分の推力とを与える。したがって、すべての推進器の出力が同じである場合、それらの合力が機体に機体の軸線方向に進める推力を与える。また、いずれかの推進器を停止させると、機体に回頭させるモーメントを与える。しかも、推進器が機体に与える推力は、機体の軸線と直交した方向の成分を有しているため、容易、迅速な回頭制御をすることができる。
【００１０】
そして、機体の長手方向一側に各推進器を配置し、機体の長手方向他側に設けた浮上用バラスト装着部に浮上用バラストを装着したときに、機体の重心が長手方向中心部であって浮心の下方に位置するようにしているため、潜水時に装着した潜水用バラストを投棄すると、機体が自動的に水平状態となり、機体を水平にする制御が不要であって、構造の簡素化、コストの低減を図ることができる。また、機体の長手方向他側、例えば機体の先端側に潜水用バラスト装着部を設けて潜水用バラストを装着できるようにしたため、潜水用バラストを機体に装着したときに、機体の重心位置が長手方向中心部より長手方向他側となり、潜水する場合に、機体の長手方向が上下方向となるため、迅速な潜水を行なうことができる。
【００１１】
また、本発明に係る分布測定方法は、上記した潜水機に分布の測定の目的に合った測定器を搭載し、測定器を搭載した潜水機の複数を同時に潜行させて測定を行なうようにしているため、例えばｐＨの測定や、プランクトンの量の測定、濁度の測定、水温の測定などを、複数の点においてほぼ同時に行なうことができ、正確な分布の測定を行なうことができる。
【００１２】
【発明の実施の形態】
本発明に係る潜水機および分布測定方法の好ましい実施の形態を、添付図面にしたがって詳細に説明する。
図１は本発明の実施の形態に係る潜水機の側面図であり、図２はその平面図である。なお、この実施形態においては、水中のｐＨ値の測定用に特殊化した潜水機について説明するが、これに限定されないことはもちろんである。
【００１３】
図１および図２において、潜水機２０は、いわゆるＡＵＶと称される無索の無人潜水機であって、機体２２が円筒状に形成してある。機体２２は、数千メートルの深海における水圧にも耐えられる圧力容器となっていて、前端（図１の右側端）と後端とに半球状のドーム部２４、２６が一体に設けてある。そして、機体２２は、長手方向の他側となる前端部の内部（前端室）２８が外部（水中）と連通している。この前端室２８には、潜水用バラスト装着部３０と浮上用バラスト装着部３２とが設けてって、後述するように、潜水用バラスト装着部３０に潜水用バラストを着脱自在に取り付けることができ、浮上用バラスト装着部３２に浮上用バラストを着脱自在に装着することが可能となっている。
【００１４】
潜水機２０は、後述するように、潜水するときに機体２２の先端側から潜水するようになっていて、先端側ドーム部２４の先端中央部に、潜水用バラストを投棄するための開口（図示せず）が設けてある。また、潜水機２０は、浮上用バラストを水平となった機体２２の下方（図１の下方）に投棄できるようにしてあって、機体２２の下部の、浮上用バラスト装着部３２と対応した位置に図示しないバラスト投棄口が形成してある。
【００１５】
さらに、前端室２８には、水中（海水中）に溶け込んでいる二酸化炭素の濃度を測定するためのｐＨセンサ３８が配設してある。そして、先端側ドーム２４には、図示しない水の取入れ口と排出口とが設けてあって、前端室２８の内部を水が自由に通流できるようになっていて、ｐＨセンサ３８によって水中の水素イオン濃度を検出することができるようにしてある。また、先端ドーム部２４には、後述するように、潜水機２０を母船に引き上げる際の吊上げフック４０が設けてある。さらに、潜水機２０は、水面に浮上した潜水機２０を容易に見つけることができるように、ライトを点滅するフラッシャ４２がドーム部２４から突出して設けてある。一方、機体２２の後端のドーム部２６には、潜水機２０を潜水させる際に吊り下げるための投下フック４４が設けてある。
【００１６】
潜水機２０は、前端室２８の後方側が外部と遮断される密閉室４６となっていて、この密閉室４６に動力源となる電池４８が配置してある。また、電池４８の後方側には、コンピュータや制御装置、送受信機、記録装置などの電子機器５０が設置してある。さらに、機体２２の外部の上部には、トランスポンダ送受波器５２が設けてある。トランスポンダ送受波器５２は、図１、図２に図示しない母船と交信するためのもので、母船が水中に放射した超音波信号を電気信号に変換して機体２２内部の受信機に入力し、潜水機２０の送信機が出力した電気信号を超音波信号に変換して水中に放射する。
【００１７】
機体２２の長手方向一側となる後端部の外周面には、ブラケット５４を介して３つの推進器５６（５６ａ、５６ｂ、５６ｃ）が取り付けてある。これらの推進器５６は、機体２２の軸線５８を中心とした同一円周上に配置してある。実施形態の場合、各推進器５６は、方向（方位）制御や深度制御するための推進力の演算を容易にするため、潜水機２０の軸線５８に対して１２０度の等間隔で配置してある。そして、トランスポンダ送受波器５２を上にしてした状態で潜水機２０を後方から見た場合、実施形態の場合、推進器５６ａが時計の文字盤上で１２時の位置にあり、推進器５６ｂが４時の位置、推進器５６ｃが８時の位置にある。
【００１８】
また、各推進器５６ａ〜５６ｃは、後部側を内向きに傾斜させて取り付けてある。そして、各推進器５６の機体２２の軸線５８に対する傾斜角θは、それぞれ同じにしてあって、各推進器５６の軸心６０が潜水機２０の後方において、潜水機２０の軸心５８上の一点で会するようになっている。このため、各推進器５６は、潜水機２０に斜め前方に進む推力を与え、各推進器５６の出力する推力が等しいと、その合力が潜水機２０を前方に推進する。推進器５６の傾斜角θは、機体２２の軸線５８に平行な方向の成分の推力と、軸線５８に直交した方向の成分の推力が得られる角度であれば任意に設定することができる。しかし、傾斜角θがあまり大きいと前進のための推力が小さくなり、傾斜角θが小さすぎる回頭モーメントが小さくなって回頭能力が低下する。このため、傾斜角θは、望ましくは５〜５０度、実施形態の場合１０〜３０度にしてある。
【００１９】
なお、潜水機２０に潜水用バラストと浮上用バラストとを搭載した場合、潜水機２０の重心は、潜水機２０の左右方向の中心である図２に示す軸心５８上であって、図１にＧA として示したように、上下方向の中心（軸線５８）の下側であって、長手方向（前後方向）の中心より前方側となるようにしてある。また、潜水機２０に浮上用バラストだけを搭載した場合、重心ＧB が図１に示したように、潜水機２０の長手方向（前後方向）の中心部であって軸心５８より下側に位置し、潜水機２０の浮心６２の下方に位置するようになっている。さらに、潜水機２０は、潜水用バラストと浮上用バラストとのいずれも搭載していない場合、重心ＧC が軸心５８の下側であって、潜水機２０の長手方向の中心より後方側に位置するようにしてある。そして、いずれの場合も、重心の位置は、機体２２の左右方向中心部にある。
【００２０】
また、潜水機２０は、深度センサ、方位センサ、速度計、記録装置など（いずれも図示せず）が搭載してあって、与えられた深度と方位とを維持して所定の速度で潜行できるようになっているとともに、測定したｐＨ値を測定した深度、位置とともに記録装置に記録できるようにしてある。
【００２１】
このように構成した実施形態に係る潜水機２０は、潜水用バラスト装着部３０に潜水用バラストを装着し、浮上用バラスト装着部３２に浮上用バラストを装着すると、重心ＧA が潜水機２０の前後方向中心より前方側に位置する。このため、潜水機２０は、図３（ａ）に示したように、母船７０に設けた投下・回収装置７２に投下フック４４を介して吊り下げ、着水させて切り離すと、同図（ｂ）に示したように、先端を下に向けて自重で潜水（潜航）する。そして、潜水機２０は、必要に応じて潜水（下降）しつつ水中のｐＨ値の測定を行なう。潜水機２０の深度は、図示しない深度センサによって検知され、トランスポンダ送受波器５２によって超音波信号に変換されて水中に放射される。母船７０は、潜水機２０からの超音波信号を受信して潜水機２０の位置を監視する。
【００２２】
潜水機２０は、所定の深度に達すると搭載してある制御装置が、母船７０からの超音波信号による指令により、または予め与えられているプログラムに従って潜水用バラスト装着部３０を作動し、図３（ｂ）に示したように、潜水用バラスト３４を潜水機２０の先端から矢印７４のように投下する。これにより、潜水機２０は、重心の位置が長手方向（前後方向）の中心部であって、浮心６２の下方のＧB となる。このため、潜水機２０は、同図（ｃ）に示したように、自動的に水平となる。そこで、各推進器５６ａ〜５６ｃを、推力が同じとなるように駆動することにより、潜水機２０は水平に潜行する。
【００２３】
すなわち、図４（１）に示したように、各推進器５６ａ〜５６ｃが機体２２に与える推力のベクトルをＦａ、Ｆｂ、Ｆｃとし、各推力の機体２２の軸線５８と直交した方向の成分のベクトルをＦａ′Ｆｂ′Ｆｃ′とすると、
【数１】
0004417543.tif 000002
【数２】
0004417543.tif 000003
【数３】
0004417543.tif 000004
と表される。そして、推進器５６ａ〜５６ｃは、軸線５８の周囲に１２０度間隔で配置してあるため、軸線５８と直交した方向の各推力の成分は、図４（１）のＡ−Ａ矢視図である同図（２）のようになる。したがって、各推進器５６ａ〜５６ｃの推力Ｆａ、Ｆｂ、Ｆｃを同じにすると、機体２２の軸線５８と直交した方向の成分Ｆａ′、Ｆｂ′Ｆｃ′による合成ベクトルが零となり、機体２２に前進方向の推力を与えることができる。
【００２４】
一方、機首を左右上下に振る場合、各推進器５６ａ〜５６ｃの推力Ｆａ、Ｆｂ、Ｆｃの大きさを変え、軸線５８と直交した方向の成分Ｆａ′、Ｆｂ′、Ｆｃ′のバランスを崩し、その合力によって回頭させる。例えば、潜水機２０を左回頭させる場合、破線に示したベクトルＦｘ を発生させればよい。すなわち、この場合、推進器５６ｂを前進力Ｆｂが得られるように正方向に回転させてＦｂ′を発生させるとともに、推進器５６ｃを後進力−Ｆｃが得られるように逆回転させて−Ｆｃ′を発生させる。また、推進器５６ａは駆動を停止する。これにより、水平軸Ｙに平行な合成ベクトルＦｘが発生する。この力Ｆｘの作用点は、機体２２の重心ＧB の後方に位置するため、機首を左に回頭するモーメントを発生し、機首が左に回頭する。他の方向への回頭も同様に行なうことができる。
【００２５】
そして、潜水機２０は、実施形態の場合、潜行中の重心位置が浮心６２の下方のＧB にあるため、常にトランスポンダ送受波器５２側を上にした状態が保持される。さらに、実施形態においては、各推進器５６は、潜水機２０の軸線５８に対して傾斜しているため、軸線５８と直交した方向の成分の推力を機体２２に与えており、潜水機２０の回頭を容易、迅速に行なうことができる。また、各推進器５６は、機体２２の後端部に設けてあり、図２に示したように、回頭中心となる重心位置をＧB と、各推進器５６の推力の作用点との距離Ｌが大きくしてあり、重心ＧB から各推進器５６の軸線６０に下す垂線の長さを長くでき、大きな回頭モーメントが得られてより迅速な回頭制御を行なうことができる。
【００２６】
このようにして、潜水機２０は、搭載された図示しない制御装置が深度センサ、方位センサ、速度センサなどの検出信号に基づいて、予め与えられたプログラムに従って所定の深度、方位に維持されて潜行し、ｐＨ値の測定を行なう。潜水機２０は、所定時間の深度保持、方位保持潜行計測が終了すると、制御装置が母船７０からの指令により、または予め与えられているプログラムに従って推進器５６の駆動を停止し、浮上用バラスト装着部３２を操作し、図３（ｄ）に矢印７６に示したように、浮上用バラスト３６を機体２２の下方から投棄する。これにより、潜水機２０は、軽くなるとともに、重心の位置が図１に示したように、前後方向の中心より後端側のＧC に移る。このため、潜水機２０は、同図（ｅ）に示したように、自動的に先端が上を向き、浮上を開始して浮上計測を行なう。
【００２７】
潜水機２０は、さらに浮上すると、同図（ｆ）に示したように、先端が水面７８の上に露出する。この際、フラッシャ４２が光を点滅させるため、母船７０の乗組員は、浮上した潜水機２０の位置を目視により容易に確認することができる。そして、潜水機２０は、投下・回収装置７２によって吊上げフック４０を介して吊り上げられ、母船７０に回収される。なお、潜水機２０は、浮上用バラスト３６を投棄して浮上したときに、トランスポンダ送受波器５２が水中に没して母船７０と交信できる状態が維持されるように設計されている。
【００２８】
このように実施の形態においては、各推進器５６を傾斜させて機体２２に取り付けているため、各推進器５６は、機体２２の軸線５８に沿った方向の成分と、軸線５８に直交した方向の成分とを有する推力を機体２２に与えるため、各推進器５６の出力を調整することにより、潜水機２０の回頭操作を容易、迅速に行なうことができる。また、実施形態に係る潜水機２０は、潜水用バラスト３４と浮上用バラスト３６とを搭載した場合、重心位置が前後方向の中心より前にあり、潜水するときに先端を下方にして潜水するため、迅速な潜水が可能であって、所定の深度まで潜水する時間を短くすることができる。そして、潜水機２０は、潜水用バラスト３４を投棄すると、重心が機体２２の前後方向の中心部であって、浮心の下方に位置するようになるため、機体２２が水中で自動的に水平となり、複雑な制御が必要でなく、構造の簡素化が図れてコストを低減することができる。
【００２９】
なお、前記実施形態においては、推進器５６が３つである場合について説明したが、４つ以上であってもよい。また、前記実施の形態においては、各推進器５６が後部側を内向きとなるように傾斜させた場合について説明したが、推進器５６の後部側を外向きとなるように傾斜させてもよい。そして、前記実施の形態においては、ｐＨセンサ３８によって水中のｐＨ値を検出する場合について説明したが、センサの種類を変えたり複数のセンサを搭載することにより、水温やプランクトンの量、水の濁度、溶存酸素量などの測定に適用してもよい。さらに、例えば先端側のドーム部２４を透明なプラスチックなどによって形成し、内部にテレビカメラを設置してもよい。
【００３０】
ところで、前記したように二酸化炭素を海中に注入した場合、二酸化炭素は、潮流座標系に乗った水塊の中を拡散して行く。このため、二酸化炭素の海洋隔離においては、潮流座標系の中の相対位置によって拡散が論じられる。したがって、二酸化炭素の拡散状態を測定する場合、測定点の絶対的位置を知ることはあまり重要でなく、大切なことは、潮流座標系における相対位置と測定の同時性である。すなわち、時間合わせによる多点観測が必要となる。そこで、二酸化炭素の拡散状態を検出するために、上記の潜水機２０によってｐＨ値を測定する場合、図５に示したように、例えば水塊内の点ａ、ｂ、ｃ、ｄ、ｅを含む断面を５台の潜水機２０ａ〜２０ｅのそれぞれが、許容される時間の範囲（誤差）Δｔ内に通過させる必要がある。
【００３１】
図６は、実際の二酸化炭素の拡散状態を測定する方法を具体的に示したもので、母船７０を矢印８０のように水塊内の点ａ、ｂ、ｃ、ｄ、ｅを含む断面と平行に航行させ、潜水機２０を母船７０から所定の位置に順次投下する。各潜水機２０は、制御装置が予め与えられているプログラムに従って、所定の方位を向くように推進器５６を制御し、予定のコースをｐＨ値を測定しつつ潜行する。この場合、深く潜水させる潜水機２０に対しては、より浅い位置を潜行させる潜水機２０より重い潜水用バラスト３４を搭載し、潜航速度を大きくするとよい。もちろん、すべての潜水機２０の潜水用バラスト３４を同じにしてもよい。なお、各潜水機２０のトランスポンダ送受波器５２は、送受波の周波数が相互に異ならせ、混信などが生じないようにする。また、二酸化炭素の拡散状態を調査する場合、前記したように絶対位置は重要でなく、潮流座標系内の相対位置を把握できればよいため、速度計とし、安価な１軸対水速度計、超音波ソナーなどを使用することができる。
【００３２】
【発明の効果】
以上に説明したように、本発明によれば、３つ以上の推進器が機体の軸線上の一点で会するように傾斜させて取り付けてあるため、各推進器は機体に対して、機体の軸線と平行な方向の成分の推力と、機体の軸線に対して直交した方向の成分の推力とを与えるため、容易、迅速な回頭制御をすることができる。
【００３３】
そして、機体の長手方向一側に各推進器を配置し、機体の長手方向他側に設けた浮上用バラスト装着部に浮上用バラストを装着したときに、機体の重心が長手方向中心部であって浮心の下方に位置するようにしているため、潜水時に装着した潜水用バラストを投棄すると、機体が自動的に水平状態となり、機体を水平にする制御が不要であって、構造の簡素化、コストの低減を図ることができる。また、機体の長手方向他側、例えば機体の先端側に潜水用バラスト装着部を設けて潜水用バラストを装着できるようにしたことにより、潜水用バラストを機体に装着したときに、機体の重心位置が長手方向中心部より長手方向他側となり、潜水する場合に、機体の長手方向が上下方向となるため、迅速な潜水を行なうことができる。
【００３４】
また、本発明に係る分布測定方法は、上記した潜水機に分布の測定の目的に合った測定器を搭載し、測定器を搭載した潜水機の複数を同時に潜行させて測定を行なうようにしているため、例えばｐＨの測定や、プランクトンの量の測定、濁度の測定、水温の測定などを、複数の点においてほぼ同時に行なうことができ、正確な分布の測定を行なうことができる。
【図面の簡単な説明】
【図１】本発明の実施の形態に係る潜水機の側面図である。
【図２】本発明の実施の形態に係る潜水機の平面図である。
【図３】実施の形態に係る潜水機の作用を説明する図である。
【図４】実施の形態に係る潜水機の回頭操作を説明する図である。
【図５】ＡＵＶによってｐＨ値の分布を測定する概念図である。
【図６】実施の形態に係る潜水機によるｐＨ値の分布を測定する方法を説明する図である。
【図７】二酸化炭素の海中隔離の方法を説明する図である。
【図８】海中隔離した二酸化炭素の拡散の様子を測定する方法の説明図である。
【符号の説明】
２０………潜水機、２２………機体、３０………潜水用バラスト装着部、
３２………浮上用バラスト装着部、５６ａ〜５６ｃ………推進器、
５８………機体の軸線、６０………推進器の軸線、６２………浮心、
ＧA 、ＧB 、ＧC ………重心。
【図１】
0004417543.tif 000005
【図２】
0004417543.tif 000006
【図３】
0004417543.tif 000007
【図４】
0004417543.tif 000008
【図５】
0004417543.tif 000009
【図６】
0004417543.tif 000010
【図７】
0004417543.tif 000011
【図８】
0004417543.tif 000012